(57)【要約】      （修正有）【課題】データ拠点の移行を効率的に行う方法を提供する。【解決手段】移行スイッチ１１０において、移行元のＷＡＮ回線Ａの終端装置にポートを接続可能な中継スイッチＳａと、移行元のＷＡＮ回線Ｂの終端装置にポートを接続可能な中継スイッチＳｂと、移行先のＷＡＮ回線Ａの終端装置にポートを接続可能な中継スイッチＲａと、移行先のＷＡＮ回線Ｂの終端装置にポートを接続可能な中継スイッチＲｂと、中継スイッチＳａ，Ｓｂの間を接続する通信回線Ｃと、中継スイッチＲａ，Ｒｂの間を接続する通信回線Ｄと、中継スイッチＳａ，Ｓｂ，Ｒａ，ＲｂをＷＡＮ回線Ａ，Ｂおよび通信回線Ｃ，Ｄを介して連結したリング型ネットワークに対して、通信回線Ｃのデータ転送をブロッキングし、中継データをＷＡＮ回線Ａ，Ｂに分けて中継する両アクティブな中継経路を確立して、正常時のリング構成とする管理部を備える。【選択図】図３
2020088573.tif 000002
【特許請求の範囲】
【請求項１】
データ拠点の移行元と移行先との間で中継データの中継を行うデータ拠点移行システムであって、
前記移行元に配置されるＷＡＮ回線Ａの終端装置にポートを接続可能な中継スイッチＳａと、
前記移行元に配置されるＷＡＮ回線Ｂの終端装置にポートを接続可能な中継スイッチＳｂと、
前記移行先に配置される前記ＷＡＮ回線Ａの終端装置にポートを接続可能な中継スイッチＲａと、
前記移行先に配置される前記ＷＡＮ回線Ｂの終端装置にポートを接続可能な中継スイッチＲｂと、
前記中継スイッチＳａ，Ｓｂの間を接続する通信回線Ｃと、
前記中継スイッチＲａ，Ｒｂの間を接続する通信回線Ｄと、
前記中継スイッチＳａ，Ｓｂ，Ｒａ，Ｒｂを前記ＷＡＮ回線Ａ，Ｂおよび前記通信回線Ｃ，Ｄを介して連結したリング型ネットワークに対して、前記通信回線Ｃのデータ転送をブロッキングし、前記中継データを前記ＷＡＮ回線Ａ，Ｂに分けて中継する両アクティブな中継経路を確立して、正常時のリング構成とする管理部と、
を備えることを特徴とするデータ拠点移行システム。
【請求項２】
請求項１に記載のデータ拠点移行システムにおいて、
前記ＷＡＮ回線Ａ，Ｂそれぞれは、シングル回線である
ことを特徴とするデータ拠点移行システム。
【請求項３】
請求項１〜２のいずれか１項に記載のデータ拠点移行システムにおいて、
前記中継データは、通常通信用、Ｌ２延伸用およびデータ移行用の３種類の中継データを含み、
前記管理部は、
前記通信回線Ｃのデータ転送をブロッキングし、前記通常通信用の中継データを、前記ＷＡＮ回線Ａ，Ｂの一方で中継し、前記Ｌ２延伸用および前記データ移行用の中継データを前記ＷＡＮ回線Ａ，Ｂのもう一方で中継することにより、両アクティブな中継経路を確立して、前記正常時のリング構成とする
ことを特徴とするデータ拠点移行システム。
【請求項４】
請求項１〜３のいずれか１項に記載のデータ拠点移行システムにおいて、
前記管理部は、
前記リング構成においてリンクダウンした異常ポートが検出されると、前記異常ポートを迂回して前記中継データを中継する暫定経路を確立して、前記リンクダウン時のリング構成とする
ことを特徴とするデータ拠点移行システム。
【請求項５】
請求項４に記載のデータ拠点移行システムにおいて、
前記管理部は、
前記異常ポートと連結されるポートを、前記中継データを中継不可とする一方で、制御フレームを転送可とするリスニング状態に設定し、
前記制御フレームの転送をもって前記異常ポートの復旧を確認し、
前記異常ポートの復旧を確認すると、前記通信回線Ｃのデータ転送をブロッキングした後、前記リスニング状態に設定した前記ポートをフォワーディング状態にすることにより、前記正常時のリング構成に戻す
ことを特徴とするデータ拠点移行システム。
【請求項６】
請求項１〜５のいずれか１項に記載のデータ拠点移行システムにおいて、
前記管理部は、
前記リング構成における制御フレームのタイムアウトを監視し、
前記タイムアウトが検出されると、前記通信回線Ｃのデータ転送を許可することにより、前記タイムアウトの発生箇所を迂回する暫定経路を確立して前記タイムアウト時のリング構成とする
ことを特徴とするデータ拠点移行システム。
【請求項７】
請求項６に記載のデータ拠点移行システムにおいて、
前記管理部は、
前記リング構成における制御フレームのタイムアウト解消を監視し、
前記タイムアウト解消を検出すると、前記正常時のリング構成に戻し、
前記タイムアウト時のリング構成を確立してから前記正常時のリング構成に戻るまでの期間、前記リング型ネットワーク内を転送されるループ検知フレームを破棄する
ことを特徴とするデータ拠点移行システム。
【請求項８】
データ拠点を移すため、移行元と移行先との間で中継データを中継する少なくとも２つのＷＡＮ回線Ａ，Ｂと、前記移行元において前記ＷＡＮ回線Ａの終端装置にポートを接続する中継スイッチＳａと、前記移行元において前記ＷＡＮ回線Ｂの終端装置にポートを接続する中継スイッチＳｂと、前記移行先において前記ＷＡＮ回線Ａの終端装置にポートを接続する中継スイッチＲａと、前記移行先において前記ＷＡＮ回線Ｂの終端装置にポートを接続する中継スイッチＲｂと、前記中継スイッチＳａ，Ｓｂの間を通信接続する通信回線Ｃと、前記中継スイッチＲａ，Ｒｂの間を通信接続する通信回線Ｄとを備えたリング型ネットワークを利用して、
前記通信回線Ｃのデータ転送をブロッキングし、前記中継データを前記ＷＡＮ回線Ａ，Ｂに分けて中継する両アクティブな中継経路を確立して正常時のリング構成とする管理ステップを備える
ことを特徴とするデータ拠点移行方法。
【請求項９】
請求項８に記載のデータ拠点移行方法において、
前記ＷＡＮ回線Ａ，Ｂそれぞれに、シングル回線を使用する
ことを特徴とするデータ拠点移行方法。
【請求項１０】
請求項８〜９のいずれか１項に記載のデータ拠点移行方法において、
前記中継データは、通常通信用、Ｌ２延伸用およびデータ移行用の３種類の中継データを含み、
前記管理ステップは、
前記通信回線Ｃのデータ転送をブロッキングし、前記通常通信用の中継データを、前記ＷＡＮ回線Ａ，Ｂの一方で中継し、前記Ｌ２延伸用および前記データ移行用の中継データを前記ＷＡＮ回線Ａ，Ｂのもう一方で中継することにより、両アクティブな中継経路を確立して、前記正常時のリング構成とする
ことを特徴とするデータ拠点移行方法。
【請求項１１】
請求項８〜１０のいずれか１項に記載のデータ拠点移行方法において、
前記リング構成においてリンクダウンした異常ポートが検出されると、前記異常ポートを迂回して前記中継データを中継する暫定経路を確立して、前記リンクダウン時のリング構成とするリンクダウン対策ステップを備える
ことを特徴とするデータ拠点移行方法。
【請求項１２】
請求項１１に記載のデータ拠点移行方法において、
前記リンクダウン対策ステップは、
前記異常ポートと連結されるポートを、前記中継データを中継不可とする一方で、制御フレームを転送可とするリスニング状態に設定し、
前記制御フレームの転送をもって前記異常ポートの復旧を確認し、
前記異常ポートの復旧を確認すると、前記通信回線Ｃのデータ転送をブロッキングした後、前記リスニング状態に設定した前記ポートをフォワーディング状態にすることにより、前記正常時のリング構成に戻す
ことを特徴とするデータ拠点移行方法。
【請求項１３】
請求項８〜１２のいずれか１項に記載のデータ拠点移行方法において、
前記リング構成における制御フレームのタイムアウトを監視し、前記タイムアウトが検出されると、前記通信回線Ｃのデータ転送を許可することにより、前記タイムアウトの発生箇所を迂回する暫定経路を確立して前記タイムアウト時のリング構成とするタイムアウト対策ステップを備える
ことを特徴とするデータ拠点移行方法。
【請求項１４】
請求項１３に記載のデータ拠点移行方法において、
前記タイムアウト対策ステップは、
前記リング構成における制御フレームのタイムアウト解消を監視し、
前記タイムアウト解消を検出すると、前記正常時のリング構成に戻し、
前記タイムアウト時のリング構成を確立してから前記正常時のリング構成に戻るまでの期間、前記リング型ネットワーク内を転送されるループ検知フレームを破棄する
ことを特徴とするデータ拠点移行方法。
【請求項１５】
請求項１〜７のいずれか１項に記載の前記中継スイッチＳａ、前記中継スイッチＳｂ、前記通信回線Ｃ、および前記管理部を備えた
ことを特徴とする移行スイッチ。
【発明の詳細な説明】
【技術分野】
【０００１】
本発明は、データ拠点移行システムおよびデータ拠点移行方法に関する。
【背景技術】
【０００２】
従来、ＷＡＮ（Wide Area Network）回線を用いてデータを中継する技術が知られている。
例えば、特許文献１には、「自装置とコア網との間を複数のＷＡＮ回線のアクセス網で接続し、アクセス網を回線切り替えしてデータを中継する中継技術」が開示される。
【先行技術文献】
【特許文献】
【０００３】
【特許文献１】特開２０１４−０４９９４０号公報
【発明の概要】
【発明が解決しようとする課題】
【０００４】
クラウド事業者などが、データ拠点の間で大規模なサーバ移設を実施する場合、多数の顧客の日常のサーバ運営に支障が生じないように、１〜３年ほどの移行期間をかけて行われることがある。
【０００５】
この移行期間の間、サーバが移行元や移行先のどちらにあるかに係わらず、通信やサーバの利用について、同様のサービスを顧客に提供することが好ましい。
そのため、データ拠点の移行元と移行先との間において、サーバ移設のための大量なデータの中継に加えて、通信やサーバのデータを遅滞なく中継しなければならない。
【０００６】
このような要求を満たすため、データ拠点の移行元と移行先との間で、高速の専用回線の敷設を通信キャリヤ会社と契約しなければならず、高いコストが必要となっていた。
【０００７】
図１３は、データ拠点を移行するためのデュアル回線×３回線分の敷設例を示す図である。
同図において、移行元のデータ拠点１００には、データ移行用の大容量の中継データ１０１の他に、レイヤ２（Ｌ２）延伸用の中継データ１０２や、通常通信用の中継データ１０３が存在する。移行先のデータ拠点２００には、移行元に対応する受け側としてデータ移行用の中継データ２０１の他に、Ｌ２延伸用の中継データ２０２や、通常通信用の中継データ２０３が存在する。
【０００８】
これら少なくとも３種類のデータを用途別にデータ転送するため、３回線分のＷＡＮ回線３０１〜３０３が敷設される。これら３回線分のＷＡＮ回線３０１〜３０３は、それぞれに副回線が準備される。これら副回線は、主回線の回線障害に備える代替であるため、主回線と一緒に使用することはできない。このような信頼性の高いデュアル回線による回線サービスは高額なため、データ拠点の移行にかかる費用はさらに高コストになる。
【０００９】
また、上記したＬ２延伸用のデータは、移行元と移行先において同じ環境（ＩＰアドレス）を維持するために中継される。このＬ２延伸により、レイヤ２のネットワーク範囲がＷＡＮ回線を介して移行先まで広がる。そのため、レイヤ２の障害が移行先まで伝搬しやすいといった課題がある。この障害がＷＡＮ回線に及べば、ＷＡＮ回線が過負荷の状態となり、同一ＷＡＮ回線を利用している他のＷＡＮ回線に障害が連鎖的に伝搬してしまう。
【００１０】
そこで、本発明は、データ拠点の移行を効率的に行うための技術を提供することを目的とする。
【課題を解決するための手段】
【００１１】
上記課題を解決するために、代表的な本発明のデータ拠点移行システムの一つは、データ拠点の移行元と移行先との間で中継データの中継を行うデータ拠点移行システムであって、移行元のＷＡＮ回線Ａの終端装置にポートを接続可能な中継スイッチＳａと、移行元のＷＡＮ回線Ｂの終端装置にポートを接続可能な中継スイッチＳｂと、移行先のＷＡＮ回線Ａの終端装置にポートを接続可能な中継スイッチＲａと、移行先のＷＡＮ回線Ｂの終端装置にポートを接続可能な中継スイッチＲｂと、中継スイッチＳａ，Ｓｂの間を接続する通信回線Ｃと、中継スイッチＲａ，Ｒｂの間を接続する通信回線Ｄと、中継スイッチＳａ，Ｓｂ，Ｒａ，ＲｂをＷＡＮ回線Ａ，Ｂおよび通信回線Ｃ，Ｄを介して連結したリング型ネットワークに対して、通信回線Ｃのデータ転送をブロッキングし、中継データをＷＡＮ回線Ａ，Ｂに分けて中継する両アクティブな中継経路を確立して、正常時のリング構成とする管理部とを備える。
【発明の効果】
【００１２】
本発明は、データ拠点の移行を効率的に行うことが可能になる。
上記した以外の課題、構成及び効果は、以下の実施形態の説明において明らかにされる。
【図面の簡単な説明】
【００１３】
【図１】本実施形態のデータ拠点移行システムの全体図である。
【図２】データ拠点１００，２００の内部概略図である。
【図３】正常時の中継経路を示す図である。
【図４】リンクダウンの発生時と復旧時の動作を示す流れ図である。
【図５】リンクダウンの発生状態を示す説明図である。
【図６】リンクダウン時の暫定経路を示す図である。
【図７】リンクアップ（復旧）時のリング構成を示す図である。
【図８】ループ発生時とタイムアウト発生時の動作を示す流れ図である。
【図９】ＷＡＮ回線において回線障害が発生した様子を示す図である。
【図１０】タイムアウト時の暫定経路を示す図である。
【図１１】ループ検知フレームの破棄動作を説明する流れ図である。
【図１２】ループ検知フレームを破棄する様子を示す図である。
【図１３】デュアル回線×３回線分の敷設例を示す図である。
【発明を実施するための形態】
【００１４】
以下、図面に基づいて、発明の実施形態を説明する。
図１は、本実施形態のデータ拠点移行システムの全体図である。
同図において、移行元環境であるデータ拠点１００と、移行先環境であるデータ拠点２００との間には、通信キャリヤ会社と契約するＷＡＮ回線Ａ，Ｂが設けられる。このＷＡＮ回線Ａ，Ｂそれぞれは、シングル回線である。
【００１５】
図２は、データ拠点１００，２００の内部概略図である。
同図において、移行元のデータ拠点１００内には、データ移行用の大容量の中継データ１０１の他に、レイヤ２（Ｌ２）延伸用の中継データ１０２や、通常通信用の中継データ１０３が用途別に随時に発生する。移行先のデータ拠点２００には、移行元に対応する受け側としてデータ移行用の中継データ２０１の他に、Ｌ２延伸用の中継データ２０２や、通常通信用の中継データ２０３が随時に発生する。
これら少なくとも３種類のデータには、用途種類の別にＶＬＡＮ（Virtual LAN）のＩＤがデータフレームの単位に付与される。
【００１６】
移行元のデータ拠点１００内には、ＷＡＮ回線Ａ，Ｂに接続される移行スイッチ１１０が設けられる。移行先のデータ拠点２００内には、ＷＡＮ回線Ａ，Ｂに接続される移行スイッチ２１０が設けられる。
【００１７】
これら移行スイッチ１１０，２１０は、ＷＡＮ回線Ａ，Ｂに送信する３種類の中継データ（データ移行用、Ｌ２延伸用、通常通信用）をＶＬＡＮのＩＤにより区別してＷＡＮ回線Ａ，Ｂに振り分ける機能を有する。
【００１８】
この移行スイッチ１１０，２１０の振り分け処理により、ＷＡＮ回線Ａは通常通信用の中継データを中継する。また、ＷＡＮ回線Ｂは、Ｌ２延伸用およびデータ移行用の２種類の中継データを中継する。
この移行スイッチ１１０，２１０の振り分け機能により、ＷＡＮ回線Ａ，Ｂはどちらも主回線の両アクティブな構成となる。
【００１９】
なお、これらＷＡＮ回線Ａ，Ｂの役割は固定ではなく、移行スイッチ１１０，２１０の振り分け機能において、役割を逆転させることも可能である。この逆転により、ＷＡＮ回線Ａは、Ｌ２延伸用およびデータ移行用の２種類のデータ中継に使用される。また、ＷＡＮ回線Ｂは、通常通信用のデータ中継に使用される。
【００２０】
また、移行スイッチ１１０，２１０は、ＷＡＮ回線Ａ，Ｂから受信する３種類のデータ（データ移行用、Ｌ２延伸用、通常通信用）をＶＬＡＮのＩＤにより区別してデータ拠点１００，２００側のネットワーク装置に振り分ける機能も有する。
【００２１】
＜正常時のリング構成＞
図３は、移行スイッチ１１０，２１０内における正常時の中継経路を示す図である。
同図において、移行元の移行スイッチ１１０の内部には、ＷＡＮ回線Ａ，Ｂの終端装置Ｎそれぞれにポートを通信接続した中継スイッチＳａ，Ｓｂが配置される。これら中継スイッチＳａ，Ｓｂの間は、通信回線Ｃによって通信接続される。
【００２２】
また、移行先の移行スイッチ２１０の内部には、ＷＡＮ回線Ａ，Ｂの終端装置Ｎそれぞれにポートを通信接続した中継スイッチＲａ，Ｒｂが配置される。これら中継スイッチＲａ，Ｒｂの間は、通信回線Ｄによって通信接続される。
【００２３】
ここで、４つの中継スイッチＳａ，Ｓｂ，Ｒａ，Ｒｂは、ＷＡＮ回線Ａ，Ｂおよび通信回線Ｃ，Ｄを介して連結され、リング型ネットワークを構成する。
【００２４】
このリング型ネットワークにおいては、４つの中継スイッチＳａ，Ｓｂ，Ｒａ，Ｒｂのいずれか１つ（好ましくは移行元の中継スイッチＳａ，Ｓｂの一方）がマスタースイッチに設定され、残りの３つがアウェアスイッチに設定される。
以下では、中継スイッチＳａがマスタースイッチに設定され、残りの３つの中継スイッチＳｂ，Ｒａ，Ｒｂがアウェアスイッチに設定されるものとして説明する。（以降、中継スイッチＳａを「マスタースイッチＳａ」という）
【００２５】
マスタースイッチＳａ内の制御ユニットは、管理部１として機能する。管理部１は、残りの中継スイッチＳｂ，Ｒａ，Ｒｂと連携してリング構成の設定変更や制御などを行う。
【００２６】
マスタースイッチＳａのマスターポートＭは、ＷＡＮ回線Ａの終端装置Ｎに接続される。マスタースイッチＳａのスレーブポートＳは、通信回線Ｃに接続される。管理部１は、スレーブポートＳをブロッキング状態に設定する。
ブロッキング状態に設定されたスレーブポートＳは、少なくとも３種類の中継データ（通常通信用，Ｌ２延伸用，データ移行用）の中継を抑止することにより、通信回線Ｃにおけるデータ転送をブロッキングする。このブロッキングによりリング構成のループ状態が防止される。
【００２７】
この状態で、マスタースイッチＳａ，ＷＡＮ回線Ａ、および中継スイッチＲａという中継経路を通して、通常通信用の中継データが中継される。
【００２８】
さらに、中継スイッチＳｂ，ＷＡＮ回線Ｂ，中継スイッチＲｂという中継経路を通して、Ｌ２延伸用およびデータ移行用の中継データが中継される。
【００２９】
上述した一連の動作により、両アクティブな通信路として正常時（平常時）のリング構成が確立する。
【００３０】
続いて、このようなリング構成に生じうる回線障害として、（１）リンクダウン、（２）ループ状態、（３）ハロータイムアウトに対する障害対策について順に説明する。
【００３１】
＜リンクダウン時の動作説明＞
まず、データ拠点移行システムにリンクダウンが発生した場合の動作について説明する。
【００３２】
図４［Ａ］は、リンクダウン発生時の管理部１の動作を示す流れ図である。
同図に示すステップ番号に沿って管理部１の動作を説明する。
【００３３】
ステップＳ１１１：  まず、リング構成上のいずれかの中継スイッチの接続ポートに故障が生じると、その中継スイッチの接続ポートとその相手ポートは物理的に中継不可なダウン状態となる。そのため、この接続ポートを経由していたＷＡＮ回線Ａ，Ｂの一方（以下「不使用ＷＡＮ回線」）は使用できない状態になる。
【００３４】
図５は、このリンクダウンの発生状態を示す説明図である。
同図では、中継スイッチＲａの接続ポート（ＷＡＮ回線Ａとの接続ポート）がリンクダウンしている。そのため、ＷＡＮ回線Ａは使用できない状態となっている。
【００３５】
ステップＳ１１２：  リンクダウンした接続ポート（以下「異常ポート」）に接続された中継スイッチや、故障した中継スイッチの残りの接続ポートは、このリンクダウンを検知すると、リンクダウン通知フレーム（制御フレームの一種）を異常ポートを経由しないリング裏回りの経路を通して送出する。
【００３６】
ステップＳ１１３：  マスタースイッチＳａのスレーブポートＳは、データフレーム（通常通信用，Ｌ２延伸用，データ移行用）の中継を抑止するブロッキング状態においても、このリンクダウン通知フレームを受信することができる。
【００３７】
管理部１は、リンクダウン通知フレームを受信したスレーブポートＳを、データフレーム（通常通信用，Ｌ２延伸用，データ移行用）を中継するフォワーディング（forwarding）状態に切り替える。その結果、リンクダウン通知フレームが辿ってきたリング裏回りの経路を辿って、故障した異常ポートを迂回する暫定経路がリング構成上に確立する。
【００３８】
図６は、このリンクダウン時の暫定経路を示す図である。
同図において、暫定経路は、マスタースイッチＳａ、中継スイッチＳｂ、ＷＡＮ回線Ｂ、および中継スイッチＲｂを経由する。なお、不使用ＷＡＮ回線に連結されるポートについてはダウン状態に遷移したままである。
【００３９】
不使用ＷＡＮ回線を使っていたデータフレーム（図６では通常通信用）については、この暫定経路を使うように管理部１が内部設定を変更することにより、リンクダウンによる中継不可の状態は暫定的に解消される。
【００４０】
＜リンクアップ時の動作説明＞
次に、異常ポートがリンクアップ（復旧）した場合の動作について説明する。
【００４１】
図４［Ｂ］は、リンクアップ（復旧）時の管理部１の動作を示す流れ図である。
同図に示すステップ番号に沿って管理部１の動作を説明する。
【００４２】
ステップＳ１２１：  リンクダウンした異常ポートがリンクアップ（復旧）する。このリンクアップした状態を図７に示す。
【００４３】
ステップＳ１２２：  管理部１は、リング上に通知して中継スイッチの内部設定を書き換えることにより、異常ポートと不使用ＷＡＮ回線を介して連結されていたポートを、復旧確認がなされるまでリスニング状態に一旦設定する。
このリスニング状態は、データフレームの中継は中継不可とする一方で、ハローフレームなどの制御フレームについては通信可とする状態である。
図７では、マスタースイッチＳａのマスターポートＭが、リスニング状態となっている。
【００４４】
ステップＳ１２３：  このマスターポートＭからは、リング一巡するハローフレームが送出される。スレーブポートＳが、このハローフレームを異常ポートを経由して受信することにより、異常ポートの復旧が確認される。管理部１は、ハローフレームを受信したスレーブポートＳを、正常時の状態（ブロッキング状態）に戻す。
その結果、通信回線Ｃを経由した暫定経路のデータ中継はブロッキングされる。
【００４５】
ステップＳ１２４：  スレーブポートＳが正常時の状態（ブロッキング状態）に戻ったことは、制御フレームによりリング上に通知される。
【００４６】
ステップＳ１２５：  管理部１は、制御フレームの通知を受けた後に、マスターポートＭをフォワーディング状態に変更する。その結果、正常時のリング構成（図３）に戻る。
【００４７】
暫定経路を使っていたデータフレーム（図７では通常通信用）については、この正常時の経路を使うように管理部１が内部設定を変更することにより、本来の正常状態に戻る。
【００４８】
＜ループ検知時の動作＞
次に、リング構成においてループ状態を検知した場合の動作について説明する。
図８［Ａ］は、ネットワーク機器によるループ状態の検知と対処を説明する流れ図である。
同図に示すステップ番号に沿ってネットワーク機器の動作を説明する。
【００４９】
ステップＳ１３１：  ネットワーク機器は、中継スイッチによるリング型ネットワークを利用してデータ中継を行う機器である。このようなネットワーク機器は、中継スイッチを介して自分宛てのループ検知フレームをリング上に向けて送出する。
【００５０】
ステップＳ１３２：  正常なリング構成であれば、マスタースイッチＳａのスレーブポートＳはブロッキング状態のため、ネットワーク機器が自分宛てのループ検知フレームを受け取ることはない。その場合（Ｓ１３２のＹＥＳ側）、ネットワーク機器は、リング構成が正常であることを確認する。
【００５１】
一方、リング構成にループ状態が生じていると、自分宛のループ検知フレームは、リングを一巡してネットワーク機器に戻る。この場合、ネットワーク機器は、ステップＳ１３３に動作を移行する。
【００５２】
ステップＳ１３３：  ネットワーク機器は、リング構成がループ状態であると判断し、ループ検知フレームを受信したポートを閉塞し、リング構成の使用を一時停止する。
【００５３】
＜ハロータイムアウト検知時の動作＞
次に、ハロータイムアウト検知時の動作について説明する。
図８［Ｂ］は、ハロータイムアウト検知時の管理部１の動作を示す流れ図である。
同図に示すステップ番号に沿って管理部１の動作を説明する。
【００５４】
ステップＳ１４１：  まず、ＷＡＮ回線において障害が発生する。
図９は、ＷＡＮ回線において回線障害が発生した様子を示す図である。
同図に示すように、ＷＡＮ回線Ａは、シングル回線である。そのため、ＷＡＮ回線Ａそれ自体には、回線障害時に代替する副回線は存在しない。
【００５５】
ステップＳ１４２：  さらに、ＷＡＮ回線ＡとマスタースイッチＳａとの間には、終端装置４２０（図９参照）が介在するため、この回線障害は自動検知されない。
【００５６】
ステップＳ１４３：  一方、マスタースイッチＳａは、リング構成の状態を確認するため、リングを一巡するハローフレーム（制御フレームの一種）をマスターポートＭからスレーブポートＳに定期的に送出する。
【００５７】
ステップＳ１４４：  途中の回線障害がなければ、スレーブポートＳはハローフレームを定期的に受信するため、ハロータイムアウトは発生しない。しかし、途中に回線障害があった場合、ハローフレームはリング構成を一巡できず、スレーブポートＳはハローフレームを受信しない。この場合、予め設定されるタイムアウト時間が経過することにより、管理部１はハロータイムアウトを検知する。
【００５８】
ステップＳ１４５：  ハロータイムアウトの原因である回線障害の箇所については、情報がなければ特定できない。
そこで、管理部１は、スレーブポートＳを正常状態（ブロッキング）からフォワーディング状態に遷移させる。これによって、リング上の中継スイッチのポートはすべてフォワーディング状態となり、回線障害の箇所をリング裏回りに迂回する暫定経路が確立する。
【００５９】
図１０は、タイムアウト時の暫定経路を示す図である。
同図において、暫定経路は、ネットワーク機器４３０、マスタースイッチＳａ、中継スイッチＳｂ、ＷＡＮ回線Ｂ、中継スイッチＲｂ、中継スイッチＲａ、およびネットワーク機器４４０を経由する。
【００６０】
回線障害のために中継不可となったデータフレーム（図１０では通常通信用）については、この暫定経路を使うように管理部１が内部設定を変更することにより、回線障害による中継不可は暫定的に解消する。
【００６１】
＜タイムアウト解消時の動作＞
次に、ハロータイムアウト解消時の動作について説明する。
図８［Ｃ］は、ハロータイムアウト解消時の管理部１の動作を示す流れ図である。
同図に示すステップ番号に沿って管理部１の動作を説明する。
【００６２】
ステップＳ１５１：  ＷＡＮ回線の回線障害が復旧する。
【００６３】
ステップＳ１５２：  ＷＡＮ回線の回線復旧により、リング上の中継スイッチのポート全てがフォワーディング状態で接続されるため、リング上にループ状態が発生する。
【００６４】
ステップＳ１５３：  マスタースイッチＳａは、リング構成の状態を確認するため、リングを一巡するハローフレーム（制御フレームの一種）をマスターポートＭからスレーブポートＳに定期的に送出する。
【００６５】
ステップＳ１５４：  ＷＡＮ回線の回線障害が復旧したことにより、マスタースイッチＳａのスレーブポートＳは、このハローフレームを受信する。そのため、マスタースイッチＳａによってハロータイムアウトの解消が検知される。
【００６６】
ステップＳ１５５：  管理部１は、ハローフレームを受信したスレーブポートＳを、ブロッキング状態に戻すことにより、タイムアウト時の暫定経路（図１０参照）から、正常時の経路（図３参照）にリング構成を戻す。
【００６７】
暫定経路を使用していたデータフレーム（図１０では通常通信用）については、正常時の経路を使うように管理部１が内部設定を変更することにより、ハロータイムアウトによる回線障害は解消する。
【００６８】
＜ループ検知フレームを破棄しない比較例＞
次に、ハロータイムアウトの復旧時に、一時的にループ状態が生じることの問題点について、比較例をあげて説明する。
図１１［Ａ］は、ループ検知フレームを破棄しない比較例を示す流れ図である。
同図に示すステップ番号に沿って説明する。
【００６９】
ステップＳ１６１：  ＷＡＮ回線の回線障害が復旧する。
【００７０】
ステップＳ１６２：  ＷＡＮ回線の回線復旧により、リング上の中継スイッチのポート全てがフォワーディング状態で連結される。そのため、ハロータイムアウトの原因である回線障害が復旧した時点からリング構成が正常状態に戻るまでの期間、一時的（瞬間〜数秒程度）にループ状態が発生する。
【００７１】
ステップＳ１６３：  このループ状態の期間にも、ネットワーク機器は、中継スイッチを介して自分宛てのループ検知フレームを送出する可能性がある。
【００７２】
ステップＳ１６４：  リング構成にループ状態が生じているため、ネットワーク機器がリング構成に送出した自分宛のループ検知フレームは、リングを巡回してネットワーク機器に戻る。
【００７３】
ステップＳ１６５：  ネットワーク機器は、リング構成がループ状態であると判断し、ループ検知フレームを受信したポートを閉塞する。そのため、ネットワーク機器の動作に支障が生じる。
【００７４】
＜ループ検知フレームを破棄する動作＞
次に、本実施形態におけるループ検知フレームを破棄する動作について説明する。
図１１［Ｂ］は、管理部１によるループ検知フレームを破棄する動作を示す流れ図である。
同図に示すステップ番号に沿って管理部１の動作を説明する。
【００７５】
ステップＳ１７１：  ネットワーク機器は、中継スイッチを介して自分宛てのループ検知フレームを送出する。
【００７６】
ステップＳ１７２：  管理部１は、リング上を転送されるループ検知フレームを受け取ると、マスターポートＭおよびスレーブポートＳの状態を確認する。
マスターポートＭおよびスレーブポートＳがどちらもフォワーディング状態の場合、マスタースイッチＳａはステップＳ１７３に動作を移す。
それ以外の場合、マスタースイッチＳａはステップＳ１７４に動作を移す。
【００７７】
ステップＳ１７３：  管理部１は、マスタースイッチＳａのポート状態から、ハロータイムアウト復旧時の一時的なループ状態の可能性が高いと判定し、図１２に示すようにループ検知フレームを破棄する。
そのため、ハロータイムアウト復旧時の一時的なループ状態によって、ネットワーク機器４３０の動作に支障をきたすといった問題は生じなくなる。
【００７８】
ステップＳ１７４：  マスタースイッチＳａのポート状態から、ハロータイムアウト復旧時の一時的なループ状態にないことが明らかなため、ループ検知フレームを破棄する必要はない。
そこで、管理部１は、ループ検知フレームの転送を許可する。これにより、平常時のループ検知動作が支障なく行われる。
＜実施形態の効果＞
【００７９】
（１）上述したように、実施形態のデータ拠点移行システム（方法）では、通信キャリヤ会社の既存のＷＡＮ回線Ａ，Ｂをそのまま使用して、データ拠点の移行元と移行先に中継スイッチＳａ，Ｓｂ，Ｒａ，Ｒｂと通信回線Ｃ，Ｄと管理部１とを配置することにより、データ拠点の移行元と移行先にまたがるリング型ネットワークを構成できる。
【００８０】
（２）実施形態では、リング型ネットワークの中継スイッチＳａ，Ｓｂ，Ｒａ，Ｒｂを移行元または移行先から管理することにより、高い冗長性を維持したデータ中継を行うことが可能になる。
例えば、正常時は両アクティブにＷＡＮ回線Ａ，Ｂを使用して中継データを中継する。このＷＡＮ回線Ａ，Ｂは、もともと独立したシングル回線であるため、独立して並列にデータ通信を行うことが可能であり、データの転送量を効率よく高めることが可能になる。その結果、顧客に提供するサービスの稼働率が向上する。
【００８１】
（３）実施形態では、ＷＡＮ回線Ａ，Ｂを介してリング型ネットワークを構成するため、ＷＡＮ回線Ａ，Ｂによるデータ中継の中継経路を冗長化することができる。そのため、両アクティブなＷＡＮ回線Ａ，Ｂによる並列使用する中継経路のほかに、ＷＡＮ回線Ａのみの中継経路や、ＷＡＮ回線Ｂのみの中継経路などが、中継スイッチＳａ，Ｓｂ，Ｒａ，Ｒｂの設定切り替えで自在に選択可能になる。そのためＷＡＮ回線Ａ，Ｂの一方がメンテナンスや回線障害によって中継不可になっても、残りのＷＡＮ回線を用いてデータ中継を継続することが可能になる。
【００８２】
（４）このようにＷＡＮ回線Ａ，Ｂの片方がメンテナンスや回線障害に備えて使用不可になっても、残りのＷＡＮ回線を用いてデータ中継が可能である。そのため、ＷＡＮ回線Ａ，Ｂそれぞれをあえてデュアル回線化する必要性は低い。したがって、ＷＡＮ回線Ａ，Ｂそれぞれにシングル回線を使用することで、高額な使用料のデュアル回線を使用せず、回線使用のコストを削減することが可能になる。
【００８３】
（５）さらに特徴的な点は、ＷＡＮ回線Ａ，Ｂの回線切り替えが中継スイッチＳａ，Ｓｂ，Ｒａ，Ｒｂの設定切り替えで済んでおり、通信キャリヤ会社の既存のＷＡＮ回線Ａ，Ｂそれ自体に特殊な改造や操作を行っていない点である。そのため、汎用のＷＡＮ回線Ａ，Ｂを手間をかけずにそのまま使用することができる。
【００８４】
（６）実施形態では、移送元と移送先との間で、データ移行用の他に、Ｌ２延伸用の中継データもやり取りする。このＬ２延伸用の中継データについてもリング型の冗長化が可能になる。そのためＷＡＮ回線Ａ，Ｂの一方がメンテナンスや回線障害によって中継不可になっても、残りのＷＡＮ回線を用いて安全なレイヤ２延伸を行うことが可能になる。
【００８５】
（７）さらに、移行元および移行先の環境に生じたレイヤ２の障害がＷＡＮ回線を介して伝搬した場合、データがＷＡＮ回線に集中して回線負荷が許容レベルを超える。このようなケースでは、リング型の冗長化の利点を活かして、Ｌ２延伸以外のデータ中継を優先しつつ、Ｌ２延伸のデータ中継を一時停止して事態を収拾することも可能である。その結果、レイヤ２の障害の影響伝搬を防いで障害を局所化することが可能になる。
【００８６】
（８）実施形態では、（Ｌ２延伸用の中継データ＋データ移行用の中継データ）を１つのＷＡＮ回線にフレーム多重して伝送する。そのため、レイヤ２の障害伝搬の影響によってＷＡＮ回線がダウンした場合、Ｌ２延伸用の中継データと共に、データ移行用の中継データも中継できなくなる。しかしながら、データ移行用の中継データは、情報通信用のデータとは異なり、リアルタイムの処理はさほど要求されない。そのため、データ拠点の移行期間内であれば、後からデータ移行用の中継データを送り直すことができる。そのため、データ移行用のデータが一時的に中継できなくなっても、弊害は回復可能であって実害は生じない。
【００８７】
（９）さらに、実施形態は、情報通信用の中継データと（Ｌ２延伸用の中継データ＋データ移行用の中継データ）とを、２つのシングル回線という独立性の高いＷＡＮ回線Ａ，Ｂに分けて転送する。そのため、片方のＷＡＮ回線がレイヤ２の障害伝搬の影響によってダウンした場合であっても、もう一方の生き残った独立性の高いＷＡＮ回線を使って情報通信用のデータを遅滞なくデータ転送することが可能になる。
【００８８】
（１０）実施形態では、リンクダウンが検出されると、リンクダウンした異常ポートを経由するＷＡＮ回線を不使用とし、異常ポートを迂回してデータを中継する暫定経路を確立する。その結果、リンクダウン発生に適切に対処して、暫定的にデータ中継を継続することが可能になる。
【００８９】
（１１）さらに実施形態では、異常ポートが復旧すると、異常ポートと不使用ＷＡＮ回線を介して連結されるポートを中継不可とする一方で、制御フレームを通信可とするリスニング状態に設定し、復旧確認用の制御フレームの通信をもって異常ポートの復旧を確認する。そのため、異常ポートが正常と異常を繰り返すような不安定な状態において拙速に正常と判断することがなく、不安定な状態において正常時のリング構成に戻してしまうなどの間違いは生じない。
【００９０】
（１２）また、実施形態では、異常ポートの復旧を確認すると、まず先に通信回線Ｃのデータ転送をブロッキングし、その後、リスニング状態に設定したポートをフォワーディング状態にすることにより、正常時のリング構成に戻す。この段階的な処理であれば、先に通信回線Ｃのデータ転送がブロッキングされるため、正常時のリング構成に戻る途中でループ状態が発生する虞がない。
【００９１】
（１３）実施形態では、ハロータイムアウトを検出すると、通信回線Ｃのデータ転送を許可することにより、タイムアウトの発生個所をリング裏回りに迂回する暫定経路を確立してタイムアウト時のリング構成とする。その結果、ハロータイムアウト発生に適切に対処して、暫定的にデータ中継を継続することが可能になる。
【００９２】
（１４）さらに実施形態では、タイムアウト時のリング構成を確立してから正常時のリング構成に戻るまでの期間、リング内を転送されるループ検知フレームを破棄する。ハロータイムアウトの解消から、正常時のリング構成に戻るまでの期間は、リング構成にループ状態が一時的に発生する。少なくともこの期間はループ検知フレームを破棄することにより、ループ状態を検知したネットワーク機器や中継スイッチがポートを閉塞して中継不可となるといった弊害を防ぐことができる。
【００９３】
（１５）実施形態の移行スイッチ２１０は、移行スイッチ１１０と略同一の装置構成である。したがって、移行スイッチ１１０（または同等品）を２台用意して、移行先と移行元のＷＡＮ回線Ａ，Ｂの終端装置にそれぞれ接続することで、実施形態のデータ拠点移行システムを簡易に構成することができる。この場合、２台の移行スイッチ１１０（または同等品）の一方をマスター側に設定することにより、マスター側の移行スイッチ１１０内の中継スイッチＳａ，Ｓｂの一方の制御ユニットが管理部１として機能して、実施形態のデータ拠点移行システムの中継動作が実現する。
【００９４】
＜実施形態の補足事項＞
なお、上述した実施形態では、ＷＡＮ回線Ａ，Ｂとしてシングル回線を使用するケースについて説明したが、本発明は必ずしもこれに限定されない。２つのＷＡＮ回線Ａ，Ｂに同時に回線障害が生じるような広域の回線障害に対処するため、ＷＡＮ回線Ａ，Ｂの一方または両方にデュアル回線を使用してもよい。
【００９５】
また、上述した実施形態では、データ移行用、Ｌ２延伸用、通常通信用といった用途別にＷＡＮ回線Ａ，Ｂに振り分けているが、本発明はこれに限定されない。ＷＡＮ回線Ａ，Ｂの回線負荷の状態に応じてデータを時間別や容量別などでＷＡＮ回線Ａ，Ｂに振り分けてもよい。例えば、夜間などの時間帯において、Ｌ２延伸用および通常通信用のデータ転送量が少なくなる場合、データ移行用の大量な中継データをＷＡＮ回線Ａ，Ｂに振り分けることでデータ移行用の中継データの転送速度を向上させてもよい。
【００９６】
さらに、上述した実施形態では、ＷＡＮ回線の終端装置と中継スイッチのポートとの接続については、光ファイバーや電気ケーブルによる端子接続でもよいし、無線接続でもよい。
【００９７】
さらに、上述した実施形態では、ＷＡＮ回線の終端装置と中継スイッチのポートとの接続については、光ファイバーや電気ケーブルによる端子接続でもよいし、無線接続でもよい。ＷＡＮ回線についても無線キャリヤや光回線や電気回線やそれらの組み合わせでもよい。
【００９８】
また、上述した実施形態では、制御フレームとしてハローフレームなどを特定して説明しているが、本発明はこれに限定されない。既定の制御フレームや、システム独自に定義された制御フレームを使用してもよい。
【００９９】
なお、本発明は上記した実施例に限定されるものではなく、様々な変形例が含まれる。例えば、上記した実施例は本発明を分かりやすく説明するために詳細かつ具体的に説明したものであり、必ずしも説明した全ての構成や手順を備えるものに限定されない。
【符号の説明】
【０１００】
Ａ…ＷＡＮ回線、Ｂ…ＷＡＮ回線、Ｃ…通信回線、Ｄ…通信回線、Ｍ…マスターポート、Ｓ…スレーブポート、１…管理部、Ｒａ…中継スイッチ、Ｓａ…中継スイッチ（マスタースイッチ）、Ｒｂ…中継スイッチ、Ｓｂ…中継スイッチ、１００…データ拠点、１１０…移行スイッチ、２００…データ拠点、２１０…移行スイッチ
【図１】
2020088573.tif 000003
【図２】
2020088573.tif 000004
【図３】
2020088573.tif 000005
【図４】
2020088573.tif 000006
【図５】
2020088573.tif 000007
【図６】
2020088573.tif 000008
【図７】
2020088573.tif 000009
【図８】
2020088573.tif 000010
【図９】
2020088573.tif 000011
【図１０】
2020088573.tif 000012
【図１１】
2020088573.tif 000013
【図１２】
2020088573.tif 000014
【図１３】
2020088573.tif 000015